(57)【要約】      （修正有）【課題】物品の敷物として、或いは袋物として使用出来る、装飾性、機能性を備えたコースターを提供する。【解決手段】可塑性、伸縮性を備えた動物皮革或いは人工皮革から、所望コースター素材を切り出す。切り出された素材に、所望袋物の形状を形成得る不連続の切り込み線を切設する。此のコースター素材に、絵画、写真、模様等Ｃをプリントするかシールする。次に、上記の如く装飾されたコースターを、切り込み線に従って引き伸ばして、袋物を形成する。形成され、使用された袋物は、折り畳んで元のコースターに復元され、爾後も此の動作を反復し得る様に構成する。【選択図】図２
0003181536.tif 000002
【実用新案登録請求の範囲】
【請求項１】
可塑性で伸縮性を備え、夫々両端を円形状に切断した長方形又は円形素材の何れかの中心部に、同一寸法で同一距離隔離した断絶環を切設し、その外縁に向い所定距離を置いて順次相似する断絶環を所定数切設すると共に、夫々の断絶円弧部分の両端が、その内外で隣接する断絶環円弧部の中央で隣接する如く切り込み、長手方向の両外縁近辺に、所望幅の提げ手用の連続切り込み線を切設した事を特徴とする装飾性、機能性を備えたコースター。
【請求項２】
前記可塑性で伸縮性を備えたコースター素材の面上に、絵画、写真、模様等を印刷するか或いはシールした事を特徴とする請求項１記載のコースター。
【請求項３】
前記装飾性、機能性を備えたコースターは、其の上に切設された切り込み線に従って、網目状の手提げ袋に変形し、其れを折り畳む事に依って、元のコースターに復元される事を特徴とする請求項１又は２何れかに記載のコースター。
【請求項４】
前記装飾性、機能性を備えたコースターの素材は、可塑性、伸縮性及び靭性を備えた動物皮革又は人工皮革である事を特徴とする請求項１乃至３何れかに記載のコースター。
【考案の詳細な説明】
【技術分野】
【０００１】    本考案は、装飾性処理と機能性加工とを施された可逆機能性コースターに関する。
【背景技術】
【０００２】    従来、物品受け及びインテリャとして使用される各種素材から成る平面的、立体的コースターは、多種、多様の商品が提案され、流通されており、又一方では、一枚の各種素材の表面に、直線状、曲線状の切断線を切り込んで、所望物品を包装し且つ手提げ網目袋状に変形して携帯し、まれには、此の様な切り込み素材から、簡易帽子等を形成する構体商品が流通されている。
参考文献
【特許文献１】  実開昭５４−９７３１８
【特許文献２】  実開平４−２３６５２
【特許文献３】  特開２００５−２１２８０７
【特許文献４】  特開２０１１−２５５９５５    然しながら、本考案の如き意匠性、装飾性、機能性を具備したコースターは、未だ開示されて居らず、流通もされてもいないのが実情である。
以下に此れ等公知技術の特性に就いて略述する。【０００３】    先ず第一に、特許文献１（実開昭５４−９７３１８）の技術は、紙、革、合成樹脂、金属薄板等のシートから製作される簡易手提げ袋等に関する物品に係るのであって、本考案の如き可逆的機能を持ち、然も装飾性に優れたコースターに関する物ではない。
しかし、其の第一図に示す素材は、本考案のコースターの形状にやや類似するが、前者の不連続切り込み環（以下断絶環と呼称する）の断絶端部の夫々の配列は、極めて不規則で、本考案のコースター上の配列の如く整然とした規則性は全く無い。
即ち、本考案の切り込み断絶環の構造は、夫々の切り込み環断絶部両端の配列が、所定面積の中心円切り込み断絶環（底部分）の一断絶環部の両端を基準点として、夫々、等間隔で其の外側の切り込み断絶環の其れと千鳥状に配列され、前記中心円切り込み断絶環の中点から、円周方向に向って走行する所定角度の放射線と平行して整然と配列されている事を主たる特徴とする。【０００４】    更に又、此の種コースターの一面又は両面には、特定場所又は其の全面に、意匠性、芸術性を付加する為に、特定の絵画、写真或いは模様を印刷するか、シールして、使用箇所の雰囲気に順応する如く創成され、後述する如く此の種コースターを延伸して、例えばワインボトルの手提げ袋として使用した後、再び此れを折り畳んで延伸前のコースターに再生し、繰り返し使用出来る様に構成した事を他の重要な特徴としている。
斯かる諸特性は、特許文献１には、何等開示していないこと明らかである。【０００５】    又、特許文献２（実開平４−２３６５２）の技術も、コースターとして利用する物ではなく、簡易包装バッグとして利用するものであると同時に、其の平面的な素材の形状も、本考案の其れとは全く異なるものであり、断続的且つ相似的に設けられた各切込み環の各断絶部の配列並びに寸法も、全く整合性の無い状態で切設されており、強いて両者の類似性を挙げれば、一枚の素材から一個の簡易包装バッグ又は袋を形成し且つ提供するに過ぎない考案である。。【０００６】    他方、特許文献３（特開２００５−２１２８０７）の手提げ袋は、一枚の略矩形状のシートより成り、その中央部に、この手提げ袋の広い底部を形成する断絶した徒歩競争用トラック状（以下トラックと記載する）の断絶切り込み線を切設し、此の形状に相似した切り込み線を、所定間隔で円周方向に向けて順次切設し、其の長手方向の外周縁近辺に、一対の手提げ部用の切り込み線を設けた構造より成り、此れ等隣接する断絶切り込み線の各部分は、相互に互い違いに形成されている事を特徴としている。
従って、此のシートより形成される手提げ袋は、底部分が広い方形面積を持つ手提げ袋であり、本考案のワインボトル用の丸底袋とは、其の形状、構造が相違し、必然的に一枚の素材上に刻まれる断絶切り込み線の形状、構造も環状でない事明白であり、上記特許文献の手提げ袋同様に、コースターとして使用するものでもなく、又手提げ袋形成後のコースターへの復元性も無く、素材そのものにも何等意匠性、装飾性も施されていないこと明白である。【０００７】    更に、特許文献４（特開２０１１−２５５９５５）の技術は、不織布等の布体の一枚のシートより成り、その中心部分に所定面積の円形又は方形の底面を有し、此の底面の外周の断続切り込み線の相似形を、所定間隔でシート外周に向って切り込み、其の外周の四隅に提げ手用の切込みを設けた事を特徴としているので、本考案の切り込む態様とは、これ又相違する事自明である。
更に又、ここに使用する素材も、他の特許文献の素材と同様に、コースターとして使用する目的のものでもなく、意匠性、装飾性の処理も施されていない事明らかである。
【考案の開示】
【考案が解決しようとする課題】
【０００８】    上記の如き先願諸技術は、夫々本考案技術と若干類似するところ有りとしても、一物品特に装飾性物品例えばコースターを、二物品として反復可逆的に機能させる技術に就いては、全く開示していない。
従って本考案は、斯かる変形的機能を持ち合わせると同時に、使用する雰囲気に適合した美術性、意匠性を備え、インテリャ、販促品としても使用できる経済的なコースターを提供する事を課題とするものであう。
【課題を解決する為の手段】
【０００９】    上記課題を解決する為に本考案に於いては、比較的安価で且つ意匠性、美術性を付与し易く、伸縮性、靭性を持つ動物又は人工皮革をコースター素材として使用した事を第一の特徴とし、徒歩競争用のトラック状又は円形状に切り出された当該素材の一面又は両面に、所望する美術的、意匠的装飾を施した事を第二の特徴とし、第三の特徴として、此の意匠的素材の中心部に、同形で然も同寸法で分離、断絶する所定半径の断絶環を切設し、此の断絶環を基準とし、素材外縁に向けて等間隔で相互に相似する複数本の断絶環を、夫々の切り込み端部が相互に千鳥状に食い違う様に配置して切設し、更にその長手方向の外延近くに、二個の提げ手切り込み線を設けた事にある。
【００１０】    更に又、第四の特徴は、此のコースターを手提げ袋として使用した後、此れを折り畳んで再び平板状のコースターに再生させ得る復元性機能をコースター自体本に付与した事にある。
【考案の効果】
【００１１】    斯くの如き構成及び作用に依り、本考案のコースターは、単なる物品敷物として使用するのみの商品ではなく、以下の如き諸効果を備え、日々の生活に潤いと経済効果を与える事が出来る物品である。
（１）  意匠性、装飾性に富み、酒席、居間の物品敷物用のみに止まらず、種々な場所のインテリャとしても利用され、特にギフト、販促品として好適である。
（２）  ワインボトル等は、ラッピング用紙、箱等を必要とせず、安全且つ携帯し易い手提げ袋に変形して便利、安全に使用出来る。
（３）  コースターから手提げ袋へ、またその逆へと可逆的に反復変成し得るので経済的である。
（４）  意外性があり、装飾性が高いので宣伝効果が大きい。
（５）  表裏異なるデザイン、装飾を施した物品とすれば、一層楽しい商品を提供出来る。
【考案を実施する為の最良の形態】
【００１２】    本考案の最良の実施の形態を項目別に略記すれば以下の通りである。
（１）  延伸、収縮性及び可塑性を有する天然又は合成皮革から所望形状のコースター素材を切り出す。
（２）  素材の両面又は片面に意匠的、装飾的処置を施す。
（３）  伸延して所望手提げ袋を形成するように、特定形状、特定構造の断続環を上記コースター素材上に切設する。
（４）  コースター商品を敷物として使用した後、手提げ袋としてこれを利用する場合には、コースターの中央断絶環部分にワインボトル等を載置し、提手切り込み部分を引き揚げて手提げ袋に変形させる。
（５）  手提げ袋として使用した後は、切り込み線に従って折り畳み元のコースターを再生する。
（６）  此のコースター・・手提げ袋の可逆的形成を繰り返して経済効果を達成する。
以下、図面を参照して、本考案の好個の実施例を詳述する。
【実施例】
【００１３】    本考案の装飾性、機能性を持ったコースター（１）は、伸縮性、可塑性を備えた素材、例えば動物皮革等より成る素材から打ち抜かれて形成される素コースター上に、種々な絵画、写真、模様等（Ｃ）（Ｓ）を印刷して装飾化した上で、所定手提げ袋を形成する切り込み模様を切設し、図２に示す装飾性、機能性のコースタとしたものであり、此のコースターは又、例えばワインボトル（Ｂ）を延伸包被して［図３］の手提げ袋（Ｍ）に変成され且つ元のコースターに復元され得る可逆機能を具備した物品でもある。【００１４】    この様な機能を持つ本考案のコースター（１）は、以下の如くして生成される。
先ず最初に、上記した特性を持つ適当な動物皮革は、図２に示す如く、適当寸法の方形皮革の両端を円形状に切り落として、本コースターの原型を作り、其の中心部分に適当面積、例えばワインボトルの底部面積よりやや大きめの袋底部分（Ａ）の断絶環（１７）を切設される。【００１５】    此の断絶環（１７）は、夫々の両端（１８）（２０）が同一寸法離れた６個の不連続の円弧より成り、此の切り込み線を基線として外周方向に、所定数の等間隔で相似の断絶環（１９）・・・が切設され、更に外縁方向からは、内側方向からの断絶環と相似の外側断絶環（４）（６）（８）・・・が切設され、其の外側の長手方向には、提げ手孔部分を構成する２個の連続円弧状切取線（Ｈ）（Ｈ）が設けられている。【００１６】    この様な各断絶環の配置により、夫々の断続環の円弧部分の両端（１８）（２２）、（２０）（２４）（５）（（７）・・及び（Ｒ）（Ｒ‘）・・・は、其の外側（又は内側）の一個の切り込み円弧部分越しに、３０度の放射線状に延びる夫々の中心線（α）（β）に平行した線上に整然と配列する。【００１７】    斯くの如く形成されたコースター素材（１）の適当場所又は全面に、例えば（Ｃ）の如き絵画、若しくは写真、或いは図４の（Ｓ）の如き模様を印刷し、場合に依ってはシールして、コースターの意匠性、装飾性を向上させる。【００１８】    此のコースター（１）を手提げ袋として使用する場合には、先ず最初に［図１］如くワインボトル（Ｂ）を、コースターの袋底部分（Ａ）に置き、提げ手切り込み（Ｈ）（Ｈ）を切り取り、提げ手（２）（２）を上向きに引き上げ、［図３］に示す如く、ボトルネック（Ｎ）まで、整然とした網目袋で覆うことの出来るワインボトル手提げ袋（Ｍ）を形成する。
此の手提げ袋は又、其の素材の可塑性、伸縮性から、此れ等の袋の網目に沿って折り畳めば、元のコースタに復元する事が出来る。
特に［図４］のデザインを使用すれば、此の水玉模様が手提げ袋の各所に断片的に拡大四散して興味深い模様を現出する。
尚、此の可逆性は何度でも反復できるので経済的であり、此の機能の奇抜性から、各種の宣伝品、販促品として有利に利用される。。
【図面の簡単な説明】
【００１９】
【図１】    本考案のコースターをワインボトル敷物として利用することを示す斜視図である。
【図２】    図１のコースターの平面図である。
【図３】    図２のコースターをワインボトルの手提げ袋として利用した場合の斜視図である。
【図４】    本考案のコースターの両面又は片面に特殊模様のデザインを施すか、破線入り又は弱粘着性シールを貼着したコースターの平面図である。
【符号の簡単な説明】
【００２０】    １              本考案のコースター
２              提げ手
Ｈ              提げ手用連続円弧状切取線
６              外側断絶環
Ｒ              切り込み円弧部分端
７              切り込み円弧部分端
８              外側断絶環
９              切り込み円弧部分端
１７            内側断絶環
１８            切り込み円弧部分端
Ｃ              絵画等印刷部
【図１】
0003181536.tif 000003
【図２】
0003181536.tif 000004
【図３】
0003181536.tif 000005
【図４】
0003181536.tif 000006